(57)【特許請求の範囲】
【請求項１】
風路が形成された本体と、
前記風路に空気を流通させるモータと、
前記風路の開口部に対して進退動して風路を開閉するシャッタ板と、
前記シャッタ板の進退動方向と略直交する方向にスライドする前面パネルと、
前記シャッタ板と前記前面パネルの間に設けられ、前記前面パネルのスライド方向の動作力を前記シャッタ板に伝達して前記シャッタ板を進退動させる伝達機構と
を備えたことを特徴とする換気ユニット。
【請求項２】
前記伝達機構は、前記シャッタ板と前記前面パネルのいずれか一方に設けられ前記シャッタ板の進退動方向に対して傾く傾斜溝と、他方に設けられ前記傾斜溝内をスライドする第１の突起とを有する
ことを特徴とする請求項１に記載の換気ユニット。
【請求項３】
前記傾斜溝は、前記風路の開口部の前側に設けられた前記シャッタ板の側部から後方に延びる平板状の突出部に形成され、
前記傾斜溝の後端部にかぎ状部が形成され、
前記シャッタ板の前側に配置された前記前面パネルに設けられた断面かぎ型の前記第１の突起は、前記シャッタ板が最も前方に移動した開状態のとき、前記傾斜溝のかぎ状部に係合する
ことを特徴とする請求項２に記載の換気ユニット。
【請求項４】
前記シャッタ板の前記突出部に形成された前記傾斜溝の開口部に押圧平坦部が形成され、
前記前面パネルの前記第１の突起は、前記シャッタ板を閉状態とするとき、前記押圧平坦部を押圧して、前記シャッタ板を前記風路の開口部に密着させる
ことを特徴とする請求項３に記載の換気ユニット。
【請求項５】
前記前面パネルの側部に突出する第２の突起を案内することにより、前記前面パネルを前記シャッタ板の進退動方向と略直交する方向にスライドさせるＵ字状案内部材をさらに備え、
前記Ｕ字状案内部材は、
前記第１の突起が前記傾斜溝の前記かぎ状部に係合するように前記前面パネルを付勢する付勢手段と、
前記第１の突起が前記傾斜溝開口部の前記押圧平坦部に位置するように前記前面パネルを位置決めする位置決め手段と、有する
ことを特徴とする請求項４に記載の換気ユニット。
【請求項６】
前記シャッタ板は、閉状態のとき、前記風路の開口部に形成された堤状のシャッタ当たり面に密着する
ことを特徴とする請求項４に記載の換気ユニット。
【発明の詳細な説明】
【技術分野】
【０００１】
本発明は、屋外と屋内との間に形成された風路に設置される換気ユニットに関し、特に屋外から屋内へ外気を導入する給気型の換気ユニットに関するものである。
【背景技術】
【０００２】
このような換気ユニットにおいて、従来の換気ユニットのシャッタ構造ついては、例えば、前面パネルを押圧するとラッチが外れ、縮設されていたバネの復元力により、シャッタが開くという構造が提案されている（例えば、特許文献１参照）。
【０００３】
また、従来の換気ユニットの結露防止構造については、前面パネルの裏面に結露防止用のパッキンを全面にわたって貼着するという構造が提案されている（例えば、特許文献２参照）。
【０００４】
さらに、従来の換気ユニットのフィルタの支持構造に関しては、例えば、フィルタを直接風路に装着する構造が提案されている。
【先行技術文献】
【特許文献】
【０００５】
【特許文献１】特開２００４−２７８８４８号公報
【特許文献２】特開２００４−２９３８６４号公報
【発明の概要】
【発明が解決しようとする課題】
【０００６】
しかしながら、上記従来のバネによるシャッタの開閉構造においては、バネの復元力によりシャッタの密閉性が損なわれ断熱性能が落ちる場合があるという問題があった。また、従来のパッキンを貼着することによる結露防止構造においては、例えば、前面パネル裏面から風路内に突設されたリブ部（パッキンが逃げている円柱状突起やコーナー部嵌合ツメ部）が、風路内を通過する冷気によって冷やされ、この温度がリブ部根元から前面パネルに伝達され、パネルに結露が発生することがあるという問題があった。さらには、従来のフィルタを風路に直接装着するという構造は、保持が不安定で、着脱が容易でなく、また、着脱の際、手が汚れるといった問題があった。
【０００７】
本発明は、上記に鑑みてなされたものであって、簡単な操作により気密性高くシャッタを開閉することができ断熱性能を向上させた換気ユニットを得ることを目的とする。
【課題を解決するための手段】
【０００８】
上述した課題を解決し、目的を達成するために、本発明の換気ユニットは、風路が形成された本体と、前記風路に空気を流通させるモータと、前記風路の開口部に対して進退動して風路を開閉するシャッタ板と、前記シャッタ板の進退動方向と略直交する方向にスライドする前面パネルと、前記シャッタ板と前記前面パネルの間に設けられ、前記前面パネルのスライド方向の動作力を前記シャッタ板に伝達して前記シャッタ板を進退動させる伝達機構とを備えたことを特徴とする。
【０００９】
また、前記伝達機構は、前記シャッタ板と前記前面パネルのいずれか一方に設けられ前記シャッタ板の進退動方向に対して傾く傾斜溝と、他方に設けられ前記傾斜溝内をスライドする第１の突起とを有する。
【発明の効果】
【００１０】
本発明の換気ユニットによれば、簡単な操作により機密性高くシャッタを開閉することができ断熱性能を向上させた換気ユニットを得ることができるという効果を奏する。
【図面の簡単な説明】
【００１１】
【図１】図１は、本発明にかかる換気ユニットの実施の形態の外観斜視図である。
【図２】図２は、換気ユニットの分解斜視図である。
【図３】図３は、グリル枠から前の部分を裏面側から見た分解斜視図である。
【図４】図４は、グリル枠を開いてフィルタ体を下方に引き出した様子を示す図である。
【図５】図５は、フィルタ体の正面図である。
【図６】図６は、シャッタ板及び前面パネルの支持構造を説明するための縦断面図である。
【図７】図７は、シャッタ板及び前面パネルの支持構造を説明するための横断面図である。
【図８】図８は、シャッタ板が開いた様子を示す図６の断面方向から見た図である。
【図９】図９は、図８のＨ部分を拡大して示す拡大断面図である。
【図１０】図１０は、図８のＪ部分を拡大して示す拡大断面図である。
【図１１】図１１は、シャッタ板が閉じた様子を示す図６の断面方向から見た図である。
【図１２】図１２は、図１１のＨ部分を拡大して示す拡大断面図である。
【図１３】図１３は、図１１のＪ部分を拡大して示す拡大断面図である。
【図１４】図１４は、グリル枠斜視図である。
【図１５】図１５は、風路を通った給気流が吹出口から吹き出る様子を示す横断面図である。
【図１６】図１６は、給気流が上方向及び右左方向に吹き出る様子を示す斜視図である。
【図１７】図１７は、給気流が上方向と右方向に吹き出る様子を示す斜視図である。
【図１８】図１８は、給気流が上方向のみに吹き出る様子を示す斜視図である。
【図１９】図１９は、断熱層が形成される様子を示す一部を断面とする側面図である。
【図２０】図２０は、フィルタ体が本体枠に装着されている様子をグリル枠を外した状態で示す斜視図である。
【図２１】図２１は、フィルタ体を本体枠から取り外す様子をグリル枠を外した状態で示す斜視図である。
【図２２】図２２は、フィルタ体が本体枠に装着されている様子を示す縦断面図である。
【図２３】図２３は、図２２のＫ部分を拡大して示す拡大断面図である。
【図２４】図２４は、グリル枠が開状態の位置で保持される様子を示す斜視図である。
【図２５】図２５は、図２４のＬ部分を拡大して示す拡大斜視図である。
【図２６】図２６は、中間位置保持構造の他の例を示す拡大斜視図である。
【図２７】図２７は、図２６の中間位置保持構造を正面から見た図である。
【発明を実施するための形態】
【００１２】
以下に、本発明にかかる換気ユニットの実施の形態を図面に基づいて詳細に説明する。なお、この実施の形態によりこの発明が限定されるものではない。
【００１３】
実施の形態
図１は、本発明にかかる換気ユニットの実施の形態の外観斜視図である。図２は、換気ユニットの分解斜視図である。図３は、図２の換気ユニットのグリル枠から前の部分を裏面側から見た分解斜視図である。図４は、グリル枠を開いてフィルタ体を下方に引き出した様子を示す図である。図５は、フィルタ体の正面図である。
【００１４】
［全体概要］
図１から図５において、換気ユニット１００は、例えば、建築物の屋外と屋内とを隔てる壁に形成された図示しない穴の室内側の開口部に取り付けられて屋外から屋内へと外気を導入する。換気ユニット１００は、内部に風路Ｆが形成された本体９０と、風路Ｆの屋外側に設けられ風路Ｆ内に空気を流通させるモータ１０と、風路Ｆの中間部に配置され屋外から導入した空気を濾過するフィルタ体４０と、風路Ｆの開口部３１に対して進退動することにより風路を開閉するシャッタ板６０と、シャッタ板６０の前方において本体９０の前面を全体にわたって覆う前面パネル９５とを有している。
【００１５】
さらに、本体９０は、建築物の壁に固定される本体枠２０と、この本体枠２０に着脱自在に嵌め合わされるグリル枠３０とから構成されている。本体枠２０は概略枠状を成し、風路Ｆを形成する穴の中央部にモータ１０が配設されている。モータ１０の駆動軸にファン１１が取り付けられている。ファン１１の周囲を囲むように、本体枠２０から後方に延びる筒状のファンケーシング１２が設けられている。本体枠２０は角部に設けられた取付穴２１に挿入される図示しない固定ネジにより上記建築物の壁に固定される。本体枠２０の中央穴の周囲には、風路Ｆを形成するとともにフィルタ４８を装着するための隔壁２２が立設している。また、本体枠２０の上面には、グリル枠３０を回動自在に支持するための一対の係合爪２４が設けられている。
【００１６】
グリル枠３０は、矩形枠状を成し本体枠２０の前面側に嵌め合わされる。空気は、図２中破線で示す矢印のように屋外から屋内へと移動する。グリル枠３０の両側面にそれぞれ風向調整板（手動式風向シャッタ）５０が配置されている（図２および図３において、図中奥側の風向調整板５０は省略している）。
【００１７】
グリル枠３０の上端面に、本体枠２０の係合爪２４と係合する係合穴３４が形成されている。係合穴３４の後部側の一辺を構成する軸部が、係合爪２４の溝部に嵌って係合する。図４に矢印Ｃにて示されるように、グリル枠３０は、この係合部を回転中心として本体枠２０に対して蝶番のように回動可能とされている。そして、図示しない下部係合部を外された状態で下部側を手前側に押し出されるようにして下部を開口する。さらに、グリル枠３０と本体枠２０との間には、グリル枠３０を所定の角度の位置で一時的に保持する中間位置保持構造２６（図２）が設けられており、グリル枠３０は、本体枠２０に対して所定の角度となる位置で一時的に保持される。この状態にて、矢印Ｄにて示すようにフィルタ体４０が下方から脱着される。フィルタ体４０は、枠部４３の上面に形成された係合突起４３ａを隔壁２２に形成された係合穴に係合させるようにして、隔壁２２内に装着される。
【００１８】
［フィルタ体の構造］
図５において、フィルタ体４０は、不織布、ウレタンなどの軟質の濾過材で作製された平面形高性能外気清浄フィルタであるフィルタ４８と、この軟質のフィルタ４８の取り扱いを容易とするためにフィルタ４８の周囲を全周にわたって保持するフィルタ枠４１とを有している。フィルタ枠４１は、フィルタ４８より硬質の樹脂材料にて作製されている。      
【００１９】
［円柱状突起、かぎ状突起］
前面パネル９５は、グリル枠３０の前面を覆う内側パネル（第１の前面パネル）７０と、化粧パネル（第２の前面パネル）８０とから構成されている。図３に示されるように、内側パネル７０の裏面の両側部には、それぞれ３本、合計で６本のリブ７２が後方に向かって立設されている。そして、上下左右に設けられた４本のリブ７２の内面には、相互に対向するように内側に向かって円柱状突起（第２の突起）７４が突設されている。一方、中央部に設けられた２本のリブ７２の内面には、相互に対向するようにかぎ状突起（第１の突起）７５が内側に向かって突設されている。前面パネル９５は、後述するＵ字状案内部材３６に円柱状突起７４を案内されて、図２に矢印Ａで示すように、上下方向にスライドする。なお、本実施の形態のように、内側パネル７０の裏面両側部に設けた６本のリブ７２にて機械的構造体を構成することで、パネル成形時に発生するヒケが意匠を損ねることがなく、また十分な強度とすることができる。
【００２０】
シャッタ板６０は、風路Ｆの開口部３１に対して進退動可能に支持されている。そして、シャッタ板６０が後退したとき風路Ｆの開口部３１を閉塞し、シャッタ板６０が前進したとき風路Ｆの開口部３１を開放する。シャッタ板６０が開口部３１を閉塞する際、開口部３１の周囲に設けられたシャッタ当たり面３３に密着して気密高く閉状態として断熱性能を向上させる。
【００２１】
図６は、シャッタ板６０及び前面パネル９５の支持構造を説明するための縦断面図である。図７は、同じくシャッタ板６０及び前面パネル９５の支持構造を説明するための横断面図である。図８は、シャッタ板６０が開いた様子を示す図６の断面方向から見た図である。図９は、図８のＨ部分を拡大して示す拡大断面図である。図１０は、図８のＪ部分を拡大して示す拡大断面図である。図１１は、シャッタ板６０が閉じた様子を示す図６の断面方向から見た図である。図１２は、図１１のＨ部分を拡大して示す拡大断面図である。図１３は、図１１のＪ部分を拡大して示す拡大断面図である。
【００２２】
［前面パネルの支持構造］
グリル枠３０の前面側の四隅には、開口を上方に向けた概略Ｕ字状のＵ字状案内部材３６が設けられている。一方、内側パネル７０の裏面の両側部上下には円柱状突起７４が配置されている。４個の円柱状突起７４は、グリル枠３０に設けられたＵ字状案内部材３６にそれぞれ挿入されて係合する。そして、Ｕ字状案内部材３６は前面パネル９５を、図６に矢印Ａで示すように、上下方向にスライド可能に支持する。
【００２３】
風路Ｆの開口部３１の前側にシャッタ板６０が設けられている（図２）。シャッタ板６０は、概略平板状のシャッタ本体６２を有している。図６に示されるように、シャッタ本体６２の左右方向両端部には、主面と直交する方向（進退動方向）の後方に向かって突出する矩形平板状の突出部６４が設けられている。一方、グリル枠３０の側部には、矩形平板状の突出部６４が嵌め込まれる収納部３７が設けられている。収納部３７は、突出部６４を囲む隔壁を有しており、収納部３７の上下の対向する壁面は、平板状の突出部６４をスライド可能に案内する。このようにして、シャッタ板６０は、風路Ｆの開口部３１に対して進退動可能に支持されている。シャッタ板６０の突出部６４の主面に斜め溝（傾斜溝）６５が形成されている。
【００２４】
［斜め溝（傾斜溝）］
内側パネル７０の裏面中央部に設けられた２個のかぎ状突起７５は、シャッタ板６０の突出部６４に形刻された斜め溝６５にそれぞれ係合する。この構造により、前面パネル９５を図７に矢印Ａで示すように上下方向にスライドさせると、シャッタ板６０が矢印Ｂで示すように進退動する。前面パネル９５を上方にスライドさせるとシャッタ板６０を閉め、前面パネル９５を下方にスライドさせるとシャッタ板６０を開けることができる。この構造により、前面パネル９５を上下にスライドさせるという簡単な動作によりシャッタ板６０を開閉することができる。
【００２５】
なお、内側パネル７０の中央部に設けられた２本のリブ７２に突設されたかぎ状突起７５、及びシャッタ板６０の突出部６４に形刻された斜め溝６５は、前面パネル９５のスライド方向の動作力をシャッタ板６０に伝達して風路Ｆを開閉する伝達機構を構成している。なお、この伝達機構に関しては、本実施の形態のものとは逆に、かぎ状突起がシャッタ板６０に設けられ、斜め溝が前面パネル９５に設けられてもよい。また、本実施の形態の前面パネル９５のスライド方向は上下方向であるが、これに限らず、例えば左右方向としてもよい。
【００２６】
斜め溝６５の後端部にかぎ状部６５ａが形成されている。前面パネル９５に設けられた断面かぎ型のかぎ状突起７５は、シャッタ板６０が最も前方に移動した開状態の位置にあるとき、斜め溝６５のかぎ状部６５ａに係合する（図８、図９）。このように、かぎ状突起７５が、斜め溝６５のかぎ状部６５ａに係合させることで、シャッタ板６０の開状態でのガタツキが無くなり、これにより、シャッタ板６０は開状態に安定して保持される。
【００２７】
シャッタ板６０の突出部６４に形成された斜め溝６５の開口部に、押圧平坦部６５ｂが形成されている。前面パネル９５のかぎ状突起７５は、シャッタ板６０を閉状態とするとき、押圧平坦部６５ｂを押圧して、シャッタ板６０を風路Ｆの開口部３１に密着させる（図１１、図１２）。
【００２８】
［Ｕ字状案内部材］
図１０及び図１３に示すように、Ｕ字状案内部材３６は、弾性部材で作製されており、Ｕ字の片側は、薄板が先端で折り返された形状を成しており、バネ機能を持つバネ機能部３６Ａとなっている。一方、Ｕ字状案内部材３６のＵ字の他側は、バネ機能部３６Ａに対向する対向部３６Ｂとなっている。Ｕ字状案内部材３６は、このようにバネ機能を有するＵ字状の案内部で円柱状突起７４を挟み込み、上記のように円柱状突起７４を案内して前面パネル９５をシャッタ板６０の進退動方向と略直交する方向、すなわち、上下方向に移動可能に支持する。
【００２９】
［付勢手段］
４つのＵ字状案内部材３６のうち下側に設けられた２つのＵ字状案内部材３６においては、バネ機能部３６Ａの中間部に山なり部３６ａを有している。円柱状突起７４は、上方から移動して山なり部３６ａを超えたとき、山なり部３６ａの斜面に付勢されてＵ字状案内部材３６の下端部に押され、移動終端位置に押し止められる。そして、この円柱状突起７４が山なり部３６ａを超えた位置に押し止められているとき、前面パネル９５は、所定の高さに保持される。すなわち、前面パネル９５は、かぎ状突起７５が斜め溝６５のかぎ状部６５ａに係合する位置に保持される。すなわち、Ｕ字状案内部材３６のバネ機能部３６Ａに設けられた山なり部３６ａは、かぎ状突起７５が斜め溝６５のかぎ状部６５ａに係合するように前面パネル９５を付勢する付勢手段を構成している。この付勢手段によって、例えばシャッタ板６０がスライド移動動作の途中で止まり、シャッタの閉止性が損なわれるといった不具合を防止できる。
【００３０】
［位置決め手段］
下側の２つのＵ字状案内部材３６においては、バネ機能部３６Ａに対向する対向部３６Ｂには、山なり部３６ａに対向した位置に係止突起３６ｂが形成されている。円柱状突起７４は、所定の高さにて山なり部３６ａと係止突起３６ｂに挟まれて保持される（図１１、図１３）。これにより、前面パネル９５は、所定の高さに維持され、このとき、かぎ状突起７５は、押圧平坦部６５ｂを押圧して、シャッタ板６０を風路Ｆの開口部３１に密着させる。すなわち、Ｕ字状案内部材３６のバネ機能部３６Ａに設けられた山なり部３６ａと、対向部３６Ｂに設けられた係止突起３６ｂとは、かぎ状突起７５が斜め溝６５の開口部の押圧平坦部６５ｂに位置するように前面パネル９５を位置決めする位置決め手段を構成している。
【００３１】
以上のように付勢手段と位置決め手段を構成することにより、シャッタ板６０の開状態でのガタツキが抑制され、またシャッタ板６０の閉状態での密着性が向上し、さらにシャッタ板６０のスライド移動時の停止が防止されるので、動作信頼性が高く閉止性に優れたシャッタ構造とすることができる。また、装置前面の意匠を本来の役割とする前面パネル９５にシャッタ板６０の開閉機構を構成し、前面パネル９５自体をシャッタ板操作部品とすることで、従来必要であったシャッタ板６０を開閉のためのレバーやスイッチなどが不要となり、部品点数と組立工数を削減したシャッタ開閉機構を構成することができる。
【００３２】
［グリル枠］
図１４は、グリル枠３０の斜視図である。グリル枠３０の中央部に、風路Ｆの開口部３１が形成されている。開口部３１を囲むようにして、堤状のシャッタ当たり面３３が形成されている。図示しないシャッタ板６０は、閉状態のとき、開口部に形成された堤状のシャッタ当たり面３３に密着して風路Ｆを密閉する。このように、シャッタ板６０が開口部３１を閉塞する際、開口部３１の周囲に設けられたシャッタ当たり面３３に密着して機密性高く閉状態として閉止性能を向上させる。なお、図示しない前面パネル９５のスライド動作は平行であり、グリル枠３０に対して平行で一定距離を保つ。そのため、前面パネル９５とグリル枠３０との間に形成される開口部に風向調整板５０を設けやすい。
【００３３】
［風向調整板］
図１５は、風路Ｆを通った給気流が吹出口から吹き出る様子を示す横断面図である。図１６は、給気流が上方向（ア）、右方向（イ）及び左方向（ウ）に吹き出る様子を示す斜視図である。図１７は、給気流が上方向（ア）と右方向（イ）に吹き出る様子を示す斜視図である。図１８は、給気流が上方向（ア）のみに吹き出る様子を示す斜視図である。
【００３４】
図１５において、グリル枠３０の両側面吹出口にそれぞれ風向調整板５０が配置されている（図１５においては、左右の風向調整板５０がそれぞれ開いた状態を示している）。また、グリル枠３０の両側面上下には前後方向に延びるスライド溝３２が設けられており（図２、図３、図７）、風向調整板５０は、上下端に設けられた係合突起５２をスライド溝３２に係合させて、このスライド溝３２に案内されて前後方向に移動可能とされている。この風向調整板５０を前後方向に移動させて吹出口の開口量を変化させることができ、側方に吹き出す風の量を調整したり、また、図１６乃至図１８に示すように、吹き出す風の方向を所定の方向のみとしたりすることができる。このように、風向調整板５０を設けたことにより、左右方向への給気風向や風量の調節を可能として、袖壁への設置による風向制限などに柔軟に対応することができ、給気風による壁汚れも抑えることができる。
【００３５】
さらに、図１５に示すように、前面パネル９５の裏面を構成する内側パネル７０の外周縁部は、風路Ｆの吹出口を構成している。この吹出口を構成する内側パネル７０の外周縁部は、前方に向かって３０度傾く傾斜面７１となっている。この傾斜面７１のさらに外周端には、３ｍｍのＲ面取りが形成されている。この傾斜面７１とＲ面取りにより、吹出口から吹き出す給気流は、換気ユニット１００の斜め前方に向かって吹き出す。そのため、給気流を効率よく室内に循環させることができるとともに、壁汚れも抑えることができる。また、傾斜面７１が設けられているために、ファンケーシング１２から吸い込まれた空気は、図１５に点線矢印で示すように従来のように直角に曲がることなく、直角より大きな角度（鈍角）に曲がって吹出口から吹き出す。そのため、吹出し風の剥離による渦を小さく抑えることができ、室内の暖かい空気の巻き込みが少なく、前面パネル９５への結露を減少させることができる。
【００３６】
なお、本実施の形態の傾斜面７１は、前方に向かって３０度傾く傾斜面で端部に３ｍｍのＲ面取りが形成されているが、傾斜角度は１０度から３０度程度とすることが最もよい効果が得られ、またＲ面取りにおいては、０．５ｍｍから３ｍｍとすることが最適であることが発明者等の実験により確認されている。
【００３７】
［断熱層］
図１９は、断熱層が形成される様子を示す一部を断面とする側面図である。前面パネル９５は、グリル枠３０の前面を覆う内側パネル７０と、化粧パネル８０とから構成されている。図１９に示されるように、化粧パネル８０は、内側パネル７０と対向する側が凹形とされ、外周縁に設けられた爪８１を内側パネル７０に係合させて重ね合わされる（図３）。そのため、内側パネル７０と化粧パネル８０との間の空間は概略密閉状態とされ、これにより、両パネル７０，８０間に空気層が形成される。内側パネル７０は、風路Ｆに対向して設けられている。そのため、この空気層も風路Ｆに対向している。化粧パネル８０と内側パネル７０とは、換気ユニット１００の前面全体を覆って設けられている。そのため、空気層も、換気ユニット１００の前面全体を覆うように形成される。この空気層は、断熱層として働き、両パネル７０，８０や風路Ｆに発生する結露を効果的に抑制する。この構造により、特に冬場の換気扇停止時におけるパネル面の結露耐力が向上する。このような空気層による断熱構造は、一般に断熱材として貼り付けるパッキン等の使用量を削減することができ、また部品点数と組立工数の削減を図れ、またリサイクル性に優れた化粧パネルとすることができる。
【００３８】
［フィルタ体の詳細な構造］
図２０は、フィルタ体４０が本体枠２０に装着されている様子をグリル枠３０を外した状態で示す斜視図である。図２１は、フィルタ体４０を本体枠２０から取り外す様子をグリル枠３０を外した状態で示す斜視図である。図２２は、フィルタ体４０が本体枠２０に装着されている様子を示す縦断面図である。図２３は、図２２のＫ部分を拡大して示す拡大断面図である。フィルタ体４０は、上記のように、不織布、ウレタンなどの軟質の濾過材で作製されたフィルタ４８と、このフィルタ４８の周囲を全周にわたって保持するフィルタ枠４１とを有している。フィルタ枠４１は、フィルタ４８の周縁部の全周を囲う額縁状の枠部４３と、この枠部４３からフィルタ４８を支持するようにフィルタ４８の主面に沿って延びる弾性支持部４４とを有している。枠部４３は、下部にドレン受け部４３ｂを一体に成型しており、霧発生時の外気を給気した場合にフィルタ４８に付着した水や、給気流によって風路内に吸込まれた雨滴を捕獲し、室内への滴下を防止する。
【００３９】
［フィルタ体の本体枠からの取り外し］
本体枠２０には、コの字型の隔壁２２が開放部分を下方に向けて形成されている。フィルタ体４０は、この隔壁２２内に下方から着脱される。枠部４３の上面に係合突起４３ａが形成されている。枠部４３の下部に取手４６が設けられている。取手４６の内側に取り外しレバー４７が設けられている。フィルタ体４０は、枠部４３の上面に形成された係合突起４３ａを隔壁２２に形成された係合穴に係合させるようにして、隔壁２２内に挿入され、取り外しレバー４７のレバー突起４７ａを本体枠２０に形成された係合凹部２０ａに係合させる（図２３）ことにより本体枠２０に装着される。係合突起４３ａとレバー突起４７ａは、本体枠２０に係合してフィルタ体４０を確実に固定する。取り外す際には、取手４６をつかみ取り外しレバー４７の係合をとき、上記と逆の手順によりフィルタ体４０を取り外す。このようなフィルタ体４０の保持構造においては、取手４６を握ったまま取り外しレバー４７を操作することができ、片手でフィルタ体４０の着脱作業ができるので利便性がよく、また踏み台等を使用する場合でも、片手を安全な場所に添えながら作業できるため安全性が向上する。なお、フィルタ体４０は、上記のようにグリル枠３０を開状態にして行われるが、グリル枠３０を開状態に保つ中間位置保持構造２６に関しては後述する。
【００４０】
［フィルタのフィルタ枠からの取り外し］
このように本体枠２０から取り外されたフィルタ体４０は、フィルタ４８の清掃のため、あるいはフィルタ４８の交換のため、フィルタ４８がフィルタ枠４１から取り外される。ここで、フィルタ４８のフィルタ枠４１からの取り外しを容易とするために、上記のように、枠部４３からフィルタ４８を支持するようにフィルタ４８の主面に沿って延びる弾性支持部４４を有している。弾性支持部４４は、枠部４３と一体に成形され、所定の方向に撓みやすいように中央部が円弧状とされ、厚さを薄く成形することにより、さらに可撓性を持つようにされている。そして、円弧状部の中央部に指で押すために面積を拡大した手掛かり部４４ａが形成されている。
【００４１】
フィルタ４８をフィルタ枠４１から取り外す作業においては、フィルタ枠４１の手掛かり部４４ａを指先で押して撓ませることで、手掛かり部４４ａを含む円弧状部の全体でフィルタ４８を押すことができる。これにより、指先で押圧するのみで、フィルタ４８をフィルタ枠４１から容易に取り外すことができ、フィルタ４８を直接手でつかまなくともよいので、手を汚すことがない。
【００４２】
［中間位置保持構造］
図２４は、グリル枠３０が開状態の位置で保持される様子を示す斜視図である。図２５は、図２４のＬ部分を拡大して示す拡大斜視図である。本体９０は、上記のように本体枠２０とグリル枠３０とに分割され、グリル枠３０は、上部係合部を回転中心として矢印Ｃにて示すように本体枠２０に対して回動可能とされ、下部を開口する。そして、グリル枠３０が本体枠２０に対して所定の角度となる位置で一時的に保持された状態にて、フィルタ体４０を下方から脱着する。このとき、グリル枠３０を重力に抗して開状態に保つ中間位置保持構造２６が設けられている。
【００４３】
中間位置保持構造２６は、グリル枠３０の裏面に立設されたグリル枠保持板２６Ｂ（枠保持板）と、本体枠２０の前面に設けられたグリル枠保持台２６Ａ（枠保持台）とから構成されている。グリル枠保持板２６Ｂとグリル枠保持台２６Ａは、相互に突き合う位置に設けられている。グリル枠保持板２６Ｂとグリル枠保持台２６Ａとは、先端を突き合わせた状態で重力に抗してグリル枠３０を開状態に保持する。そして、この状態から、矢印Ｍにて示すように、所定以上の力が加わるとグリル枠保持板２６Ｂが側面方向ににげる。これにより、両者間の先端の突き合わせがなくなり、グリル枠３０は保持を解除され閉状態に戻る。グリル枠３０を外すことなく、開いた状態でフィルタ体４０の着脱作業ができ利便性がよく、また踏み台等を使用する場合でも、片手を安全な場所に添えながら作業できるため、安全性が向上する。このような構成の中間位置保持構造２６においては、簡素な構造で安価に作製することができる。なお、グリル枠保持板２６Ｂとグリル枠保持台２６Ａとは、反対の構造を成すものであってもよく、また少なくとも一方が弾性を有するものであればよい。
【００４４】
［中間位置保持構造の他の例］
図２６は、中間位置保持構造の他の例を示す拡大斜視図である。図２７は、図２６の中間位置保持構造を正面から見た図である。図２６及び図２７に示す中間位置保持構造１２６は、グリル枠３０の裏面に立設されたグリル枠保持板１２６Ｂ（枠保持板）と、本体枠２０の前面に設けられたグリル枠保持台１２６Ａ（枠保持台）とから構成されている。グリル枠保持板１２６Ｂは、先端に向けて薄くなる楔型形状を成している。一方、グリル枠保持台１２６Ａは、狭い間隔で向き合う２枚の板で構成されている。グリル枠保持板１２６Ｂとグリル枠保持台１２６Ａとは、先端を突き合わせた状態で重力に抗してグリル枠３０を開状態に保持する。そして、この状態から、矢印Ｍにて示す方向に所定以上の力が加わるとグリル枠保持台１２６Ａが、矢印Ｐにて示すように広がり、この間にグリル枠保持板１２６Ｂが嵌り込む。これにより、両者間の先端の突き合わせがなくなり、グリル枠３０の保持が解除されグリル枠３０は閉状態に戻る。このような構成の中間位置保持構造１２６においては、図２４及び図２５に示す中間位置保持構造２６と同様の効果を得られる他、経年変化に対して耐性が大きく動作信頼性が向上する。
【００４５】
以上のように、換気ユニット１００は、平面形高性能外気清浄フィルタ４８と、シャッタ板６０による高密閉構造により給気時の花粉漏れ侵入を３０％低減する。すなわち、換気ユニット１００は、密着性の高い「平面形」のフィルタ４８と、本体９０とフィルタ外周部の密閉性を高めた新構造により、フィルタ４８を通過しない「給気漏れ」を大幅に抑制し、給気時の室内への花粉漏れ侵入を従来比約３０％低減する。そのため、花粉対応住宅等での２４時間換気システム用強制給気ユニットとして最適である。
【産業上の利用可能性】
【００４６】
以上のように、本発明にかかる換気ユニットは、花粉対応住宅等での２４時間換気システム用強制給気ユニットとして最適である。
【符号の説明】
【００４７】
１０  モータ
１１  ファン
１２  ファンケーシング
２０  本体枠（第１の枠体）
２０ａ  係合凹部
２１  取付穴
２２  隔壁
２４  係合爪
２６  中間位置保持構造
２６Ａ  グリル枠保持台（枠保持台）
２６Ｂ  グリル枠保持板（枠保持板）
３０  グリル枠（第２の枠体）
３１  風路の開口部
３２  スライド溝
３３  シャッタ当たり面
３４  係合穴
３６  Ｕ字状案内部材
３６Ａ  バネ機能部
３６Ｂ  対向部
３６ａ  山なり部（付勢手段）
３６ｂ  係止突起（位置決め手段）
４０  フィルタ体
４１  フィルタ枠
４３  枠部
４３ａ  係合突起
４３ｂ  ドレン受け部
４４  弾性支持部
４４ａ  手掛かり部
４６  取手
４７  取り外しレバー
４７ａ  レバー突起
４８  フィルタ
５０  風向調整板
５２  係合突起
６０  シャッタ板
６２  シャッタ本体
６４  突出部
６５  斜め溝（傾斜溝、伝達機構）
６５ａ  かぎ状部
６５ｂ  押圧平坦部
７０  内側パネル（第１の前面パネル）
７２  リブ
７４  円柱状突起（第２の突起）
７５  かぎ状突起（第１の突起）
８０  化粧パネル（第２の前面パネル）
８１  爪
９０  本体
９５  前面パネル
１００  換気ユニット
１２６  中間位置保持構造
１２６Ａ  グリル枠保持台（枠保持台）
１２６Ｂ  グリル枠保持板（枠保持板）
【図１】
0005264556.tif 000002
【図２】
0005264556.tif 000003
【図３】
0005264556.tif 000004
【図４】
0005264556.tif 000005
【図５】
0005264556.tif 000006
【図６】
0005264556.tif 000007
【図７】
0005264556.tif 000008
【図８】
0005264556.tif 000009
【図９】
0005264556.tif 000010
【図１０】
0005264556.tif 000011
【図１１】
0005264556.tif 000012
【図１２】
0005264556.tif 000013
【図１３】
0005264556.tif 000014
【図１４】
0005264556.tif 000015
【図１５】
0005264556.tif 000016
【図１６】
0005264556.tif 000017
【図１７】
0005264556.tif 000018
【図１８】
0005264556.tif 000019
【図１９】
0005264556.tif 000020
【図２０】
0005264556.tif 000021
【図２１】
0005264556.tif 000022
【図２２】
0005264556.tif 000023
【図２３】
0005264556.tif 000024
【図２４】
0005264556.tif 000025
【図２５】
0005264556.tif 000026
【図２６】
0005264556.tif 000027
【図２７】
0005264556.tif 000028